(57)【要約】      （修正有）【課題】移動台車等の車輪や、女性の履くパンプス等のヒール先端が落ち込まないフランス落しを提供する。【解決手段】落し棒２と、床面側に取り付けられる受け具３と、を有し、受け具３は、周囲に溝部３４が配置されるコア部３２を備え、円筒体３１と、円筒体３１の略中央部に形成されたコア部３２からなり、円筒体３１とコア部３２は、一体的に形成されており、落し棒２は、筒状に形成され、先端部には、一部下方に向けて突出する突出部が形成され、溝部３４に挿入可能となっている。【選択図】図３
2020090845.tif 000002
【特許請求の範囲】
【請求項１】
落し棒と、床面側に取り付けられる受け具と、を有し、前記受け具は、周囲に溝部が配置されるコア部を備え、前記落し棒は、前記溝部に挿入可能となっていることを特徴とするフランス落し。
【請求項２】
前記受け具は、円筒体と、前記円筒体の略中央部に形成された前記コア部からなり、前記円筒体と前記コア部は、一体的に形成されていることを特徴とする請求項１に記載のフランス落し。
【請求項３】
前記円筒体には底部が形成されており、前記コア部は前記底部から上方に向けて形成されていることを特徴とする請求項２に記載のフランス落し。
【請求項４】
前記円筒体の上面と、前記コア部の上面は略同じ高さに形成されていることを特徴とする請求項２または３に記載のフランス落し。
【請求項５】
前記円筒体の内周面と前記コア部の外周面との少なくともいずれか一方には、前記落し棒を案内するテーパ面が形成されていることを特徴とする請求項２ないし４のいずれかに記載のフランス落し。
【請求項６】
前記落し棒は、筒状に形成されていることを特徴とする請求項１ないし５のいずれかに記載のフランス落し。
【請求項７】
前記溝部は、断面視円環状に形成されていることを特徴とする請求項１ないし６のいずれかに記載のフランス落し。
【請求項８】
前記落し棒の先端部には、一部下方に向けて突出する突出部が形成されていることを特徴とする請求項１ないし７のいずれかに記載のフランス落し。
【請求項９】
前記溝部の溝幅は９ミリメートル未満に形成されていることを特徴とする請求項１ないし８のいずれかに記載のフランス落し。
【発明の詳細な説明】
【技術分野】
【０００１】
本発明は、間仕切パネルやドア等の固定に用いられるフランス落しに関する。
【背景技術】
【０００２】
フランス落しは、間仕切りパネルの一方端部や、両開きのドアの一方のドアを床に対して固定させる際に広く利用されている。上げ落し式とも言われるこの技術は、床面に設けられた穴内に、間仕切りパネルやドアに対して上下動可能に取り付けた落し棒を嵌入させて間仕切りパネルやドアを固定させる技術である。落し棒を床面に設けられた穴内に直接嵌入させるものの他、穴に受け具を装着し受け具に設けられた穴に落し棒を嵌入させるようにしているものもある。後者の受け具として、落し棒が嵌入される穴には、丸落し棒の断面に応じた円状の貫通孔が設けられたプレート状の受け具や、円柱型に形成され有底の穴が設けられた受け具が知られている。
【０００３】
このようなフランス落しに関して、例えば特許文献１の上げ落しの受け座は、可動間仕切りやドア等の固定に用いられる上げ落しの受け座に関するものであり、可動間仕切りやドア等に取り付けられる上下動可能なシャフト（落し棒）と、床面に座堀りされた有底のシャフト穴と、シャフトの断面積より大きい下受け座孔を持ち床面に座堀された部分に埋め込み固定される下受け座（受け具）と、下受け座の上部に取り付けられシャフトの断面積と略等しい上受け座孔を持ち且つ下受け座の大きさよりも大きい上受け座（受け具）とから構成されている。シャフト（落し棒）が、上受け座（受け具）と下受け座（受け具）が備えるそれぞれの座孔を上方から挿通し床面のシャフト穴内に嵌入されることで、可動間仕切りやドア等が固定されるようになっている。
【先行技術文献】
【特許文献】
【０００４】
【特許文献１】特許第３０４１６６８号公報（第２頁、第１図）
【発明の概要】
【発明が解決しようとする課題】
【０００５】
しかしながら、特許文献１に示される上げ落しの受け座は、間仕切りパネルの収納時やドアの開放時において、上受け座と下受け座のそれぞれの座孔は上方に向けて開放されているため、上受け座上方を走行する移動台車等の車輪が孔に落ち込んで移動台車等が意図しない方向へ進んでしまったり、女性の履くパンプス等のヒール先端が孔に落ち込む虞があった。
【０００６】
本発明は、このような問題点に着目してなされたもので、移動台車等の車輪や、女性の履くパンプス等のヒール先端が落ち込まないフランス落しを提供することを目的とする。
【課題を解決するための手段】
【０００７】
前記課題を解決するために、本発明のフランス落しは、
落し棒と、床面側に取り付けられる受け具と、を有し、
前記受け具は、周囲に溝部が配置されるコア部を備え、
前記落し棒は、前記溝部に挿入可能となっていることを特徴としている。
この特徴によれば、コア部の周囲に幅狭な溝部が形成されており、車輪やヒール先端はコア部に支持されるので車輪やヒール先端が受け具に落ち込むことが無く、安全性を高めることができる。
【０００８】
前記受け具は、円筒体と、前記円筒体の略中央部に形成された前記コア部からなり、前記円筒体と前記コア部は、一体的に形成されていることを特徴としている。
この特徴によれば、床面側に受け具の設置が容易である。
【０００９】
前記円筒体には底部が形成されており、前記コア部は前記底部から上方に向けて形成されている。
この特徴によれば、上方からの外力に対するコア部の強度を確保できる。
【００１０】
前記円筒体の上面と、前記コア部の上面は略同じ高さに形成されている。
この特徴によれば、受け部の円筒体とコア部に上下方向の段差が無いので、受け具に車輪やヒールが乗り上げた際の安全性が高まる。
【００１１】
前記円筒体の内周面と前記コア部の外周面との少なくともいずれか一方には、前記落し棒を案内するテーパ面が形成されていることを特徴としている。
この特徴によれば、落し棒をテーパ面に当接させることで、落し棒を溝部に案内させ易くなる。
【００１２】
前記落し棒は、筒状に形成されていることを特徴としている。
この特徴によれば、落し棒を軽量化できる。
【００１３】
前記溝部は、断面視円環状に形成されていることを特徴としている。
この特徴によれば、落し棒の周方向の挿入位置によらず、溝部に落し棒を挿入させ易い。
【００１４】
前記落し棒の先端部には、一部下方に向けて突出する突出部が形成されていることを特徴としている。
この特徴によれば、溝部に突出部を嵌入させると、突出部がガイドとなって落し棒を溝部に案内させることができる。
【００１５】
前記溝部の溝幅は９ミリメートル未満に形成されていることを特徴としている。
この特徴によれば、溝部にヒールが落ち込まず、受け具に車輪やヒールが乗り上げた際の安全性が高まる。
【図面の簡単な説明】
【００１６】
【図１】本発明の実施例１におけるフランス落しの構造を示す斜視図である。
【図２】（ａ）は、落し棒の段面図であり、（ｂ）は、受け具の断面図である。
【図３】挿入前の落し棒と受け具を示す側断面図である。
【図４】挿入後の落し棒と受け具を示す側断面図である。
【図５】本発明の実施例２におけるフランス落しを示す図であり、（ａ）は、落し棒の段面図であり、（ｂ）は、受け具の断面図である。
【図６】本発明の実施例３におけるフランス落しを示す図であり、（ａ）は、落し棒の段面図であり、（ｂ）は、受け具の断面図である。
【図７】本発明の実施例４における挿入前の落し棒と受け具を示す側断面図である。
【図８】本発明の実施例５におけるフランス落しを示す図であり、（ａ）は、受け具とホルダの斜視図であり、（ｂ）はフランス落しの構造を示す斜視図である。
【発明を実施するための形態】
【００１７】
本発明に係るフランス落しを実施するための形態を実施例に基づいて以下に説明する。
【実施例１】
【００１８】
実施例１に係るフランス落しにつき、図１から図４を参照して説明する。以下、図１のフランス落しにおける紙面上側を上方側とし、紙面下側を下方側として説明する。
【００１９】
図１に示されるように、本実施例のフランス落し１は、移動間仕切り装置の間仕切りパネルＡに取り付けられる落し棒２と、床Ｂに形成された穴Ｂ１（図３参照）に設置された受け具３と、からなる。尚、移動間仕切り装置の間仕切りパネルＡに限られず、両開きのドアの一方にフランス落し１を用いても良い。
【００２０】
図２（ａ）に示されるように、落し棒２は、鋼材を筒状に形成させたパイプ材から形成されている。落し棒２の内径Ｘは、図２（ａ）に示されているコア部３２の直径ａより大径に形成されており、落し棒２の外径Ｙは、図２（ａ）に示されている円筒体３１の内径ｂより小径に形成されている。このことから、落し棒２は受け具３の溝部３４に挿入できるようになっている。
【００２１】
図２（ｂ）に示されるように受け具３は、有底の円筒体３１と、内周側に断面視円状コア部３２を備えている。円筒体３１は、筒部３１ａと底部３１ｂから形成されている。円筒体３１とコア部３２はステンレス等の鋼材により同一部材から構成されており、筒部３１ａとコア部３２の間には、切削形成により溝部３４が断面視円環状に形成されている。また、溝部３４の溝幅Ｌは５ミリメートルに形成されている。
【００２２】
図３に示されるようにコア部３２は、底部３１ｂから上方側へ延出され側面視円柱状を成している。コア部３２の上面３２ａは、筒部３１ａの上面３１ｃと面一になるように形成されており、溝部３４は、上面３２ａに対して鉛直方向に延びるように形成されている。また、受け具３は床Ｂに対して、受け具３の上面高さと床Ｂの上面高さが面一になるように埋設される。
【００２３】
円筒体３１の筒部３１ａには、筒部３１ａの内周壁上方端部に溝部３４に向けて傾斜するテーパ面３１ｄが形成されている。テーパ面３１ｄは、上方から溝部３４に挿入される落し棒２の下端２ａを、溝部３４の空間内へ案内させるガイド面の機能を奏するようになっている。
【００２４】
図４に示すように落し棒２を、受け具３の溝部３４に挿入させることで間仕切りパネルＡの固定が完了する。落し棒２の突出量は間仕切りパネルＡにより規制されており、落し棒２の下端２ａは、受け具３の溝部３４における底部３１ｂ近傍に位置するようになっている。
【００２５】
図４に示されている落し棒２は、溝部３４に対して遊嵌されているが、落し棒２を溝部３４に対して上下に相対移動可能であれば、嵌合されるようにしてもよい。また、落し棒２の下端２ａと、受け具３の溝部３４における底部３１ｂが当接し、間仕切りパネルＡの固定が完了する構成としてもよい。
【００２６】
また、受け具３は、有底の円筒体３１であり底部３１ｂが形成されていると説明したが、無底の円筒体としても良く、例えば、無底の筒部３１ａとコア部３２を穴Ｂ１に配置させることとしても良いし、また、無底の筒部３１ａとコア部３２を、コア部３２の下方側から放射状に延びる梁体を筒部３１ａの内面に連結させても良い。
【００２７】
上述したように、受け具３は、周囲に溝部３４が配置されるコア部３２を備え、落し棒２は、コア部３２の周囲の幅狭な溝部３４に挿入されることから、車輪やヒール先端は、コア部３２に支持されるので車輪やヒール先端が受け具に落ち込むことが無く、安全性を高めることができる。
【００２８】
受け具３は、円筒体３１と、円筒体３１の略中央部に形成されたコア部３２からなり、円筒体３１とコア部３２は、一体的に形成されていることから、受け具３の床面側への設置が容易である。
【００２９】
落し棒２は、筒状に形成されていることから、落し棒２の強度を維持しつつ軽量化できる。
【００３０】
溝部３４は、断面視円環状に形成されていることから、落し棒２の周方向の挿入位置によらず、溝部３４に落し棒２を挿入させ易くなっている。
【００３１】
円筒体３１には底部３１ｂが形成されており、コア部３２は底部３１ｂから上方に向けて形成されていることから、上方からの外力に対するコア部３２の強度を確保できる。
【００３２】
円筒体３１の上面３１ｃと、コア部３２の上面３２ａは略同じ高さに形成されていることから、この特徴によれば、受け部３の上下方向の段差が無いので、受け具３に車輪やヒールが乗り上げた際の安全性が高まる。
【００３３】
円筒体３１の内周面には、落し棒２を案内するテーパ面が形成されていることから、落し棒２をテーパ面３１ｄに当接させることで、落し棒２を溝部３４に案内させ易くなる。
【００３４】
溝部３４は、溝幅は５ミリメートルに形成されていることから、女性の履くパンプスのヒール先端の直径は殆どのものが最細９ミリメートルであるため、溝部３４にヒールが落ち込まず、受け具３に車輪やヒールが乗り上げた際の安全性が高まるようになっている。
【００３５】
実施例１において断面視略環状の溝部３４に対して、溝部３４と同断面形状の落し棒２を挿入させていたが、この限りではなく、断面視略環状の溝部３４に対して、半弧状の落し棒や断面Ｃ字状の落し棒を挿入させて固定させても良い。
【実施例２】
【００３６】
次に、実施例２に係るフランス落しにつき、図５（ａ），（ｂ）を参照して説明する。尚、前記実施例１と同一構成で重複する構成の説明を省略する。
【００３７】
実施例２に係るフランス落しは、移動間仕切り装置の間仕切りパネルＡに取り付けられる落し棒１２と、床Ｂに形成された穴に設置された受け具１３と、からなる。図５（ａ）は、落し棒１２を示す断面図であり、落し棒１２を周方向の一部と軸方向に亘って径方向に開放された開口部１２０が形成され、断面視Ｃ字状に形成されている。
【００３８】
図５（ｂ）に示されるように受け具１３は、円筒体１３１と、コア部１３２を有し、円筒体１３１とコア部１３２は、ブリッジ１３５によってコア部１３２の外周面と、円筒体１３１の内周面が径方向に一部接続されており、断面視略Ｃ字状の溝部１３４が形成されている。ブリッジ１３５の上面は、円筒体１３１の上面と、コア部１３２の上面と面一に形成されており、床Ｂに配設された際、受け具１３が床Ｂと面一になるようになっている。
【００３９】
落し棒１２は、溝部１３４に挿入可能に形成されている。落し棒１２を溝部１３４に挿入する際は、落し棒１２の開口部１２０と、受け具１３のブリッジ１３５との位置が合致した状態で落し棒１２を下方に向けて移動させ溝部１３４に挿入させることで、間仕切りパネルＡの床Ｂに対する固定が完了する。なお、落し棒１２は、溝部１３４への上下方向の挿入代のみ略Ｃ字状に形成されていてもよく、また、ブリッジ１３５は溝部１３４の底部から円筒体１３１の上面まで延在させても良いし、受け具１３の底部よりも上方側から上面にかけてのみ延在するように形成されていても良い。
【００４０】
実施例２において断面視略Ｃ字状の溝部１３４に対して、溝部１３４と同断面形状の落し棒１２を挿入させていたが、この限りではなく、断面視略Ｃ字状の溝部１３４に対して、半弧状の落し棒を挿入させて固定させても良いし、ブリッジ１３５を放射状に複数形成し、周囲に形成された溝部に挿入可能な落し棒を用いて固定させることとしても良い。
【実施例３】
【００４１】
次に、実施例３に係るフランス落しにつき、図６（ａ），（ｂ）を参照して説明する。尚、前記実施例１と同一構成で重複する構成の説明を省略する。
【００４２】
実施例３に係るフランス落しは、移動間仕切り装置の間仕切りパネルＡに取り付けられる落し棒２２と、床Ｂに形成された穴に設置された受け具２３と、からなる。図６（ａ）に示すように、落し棒２２は、断面視略中空の小判状に形成されている。
【００４３】
図６（ｂ）に示されるように受け具２３は、円筒体２３１と、断面視略小判型のコア部２３２を有し、コア部２３２の周囲に断面視略中空の小判状の溝部２３４が形成されている。
【００４４】
落し棒２２は、溝部２３４に挿入可能に形成されている。挿入する際は、落し棒２２を下方に向けて溝部２３４に挿入させることで、間仕切りパネルＡの床Ｂに対する固定が完了する。落し棒２２は、溝部２３４が略中空の小判型に形成されているので、溝部２３４へ挿入されると回転できないようになっている。
【００４５】
実施例３において断面視略中空の小判型の溝部２３４に、断面視略中空の小判型の落し棒１２を挿入させていたが、この限りではなく、断面視略楕円状や断面視ひし形、星形等の溝部に対して、同断面形状の落し棒を挿入させて固定させても良い。
【実施例４】
【００４６】
次に、実施例４に係るフランス落しにつき、図７を参照して説明する。尚、前記実施例１と同一構成で重複する構成の説明を省略する。
【００４７】
実施例４に係るフランス落しは、移動間仕切り装置の間仕切りパネルＡに取り付けられる落し棒４２と、床Ｂに形成された穴に設置された受け具３と、からなる。
【００４８】
図７に示されるように落し棒４２は、筒状に形成されたパイプ材から形成されており、落し棒４２の下方の傾斜部４２ａは、傾斜されて形成されている。略竹槍形状を成す落し棒４２は、最下端に突出部４２ｂが形成されている。
【００４９】
落し棒４２は、溝部３４に挿入可能に形成されている。挿入する際は、落し棒４２の突出部４２ｂを溝部３４に挿入させると、突出部４２ｂが落し棒４２の断面部４２ａ全体を溝部３４に案内させるようになる。
【００５０】
実施例４において断面視円環状の溝部３４に、環状に形成され先端部が略竹槍形状の落し棒４２を挿入させていたが、この限りではなく、環状に形成され先端部に突出片を設けた落し棒としても良い。
【００５１】
上述したように、落し棒４２の先端部は、一部下方に向けて突出する突出部４２ｂが形成されているので、溝部３４に突出部４２ｂを嵌入させると、突出部４２ｂが落し棒４２を溝部３４に案内させるようになる。
【実施例５】
【００５２】
次に、実施例５に係るフランス落しにつき、図８（ａ），（ｂ）を参照して説明する。尚、前記実施例１と同一構成で重複する構成の説明を省略する。
【００５３】
実施例５に係るフランス落しは、移動間仕切り装置の間仕切りパネルＡに取り付けられる落し棒５２と、床Ｂに形成された穴Ｂ１に設置されたホルダ６０と、ホルダ６０に保持された受け具５３と、からなる。図８（ａ）に示されるように受け具５３は、円筒体５３１と、コア部５３２を有し、コア部５３２の周囲に断面視円環状の溝部５３４が形成されている。コア部５３２は、円筒体５３１の軸方向の中心位置に対して偏芯されて形成されており、また偏芯されたコア部５３２の周囲に溝部５３４が形成されている。
【００５４】
図８（ａ）に示されるようにホルダ６０は、有底の略円筒型状の胴部６２と、胴部の上端に周方向に亘るリブ６１と、を備えており、上面が開放された丸穴部６３が形成されている。丸穴部６３の内径Ｎは、円筒体５３１の外径Ｍより僅かに大径に形成されており、ホルダ６０の丸穴部６３に受け具５３が挿入可能になっている。ホルダ６０に挿入された受け具５３は、丸穴部６３内でホルダ６０に対して回転させることができるようになっている。また、ホルダ６０のリブ６１の上面部６１ａと、受け具５３の上面部５３１ａは、ホルダ６０に受け具５３を嵌入した際に、面一になるようになっている。
【００５５】
図８（ｂ）に示されるように、床Ｂに座堀された穴に、ホルダ６０の上面部が床Ｂと面一になるように配置させ、ホルダ６０の丸穴部６３に受け具５３１を挿入させる。落し棒５２の直下に溝部５３４が僅かに位置しない場合は、ホルダ６０に挿入された受け具５３をホルダ６０に対して回転させ溝部５３４の位置を変更させることでホルダ６０に受け具５３を挿入させ易く調整できるようになっている。落し棒５２の直下に溝部５３４が位置するように調整した後、落し棒５２を溝部５３４に降下させ間仕切りパネルＡの床Ｂに対する固定が完了する。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、受け具３の円筒体３１とコア部３２は切削により同一部材から構成されていたが、これに限られず、円筒体３１に別部材からなるコア部３２を螺合させる等として受け具３を構成してもよい。
【００５８】
また、円筒体３１の内周面には、落し棒２を案内するテーパ面が形成されていると説明したが、この限りではなく、コア部３２の外周面にテーパ面を形成させても良い。
【００５９】
また、受け具３の溝部３４における溝幅Ｌは、５ミリメートルとして説明したが、この限りではなく、９ミリメートル未満に形成されていれば良い。
【符号の説明】
【００６０】
１                フランス落し
２                落し棒
３                受け具
３１              円筒体
３１ｂ            底部
３１ｄ            テーパ面
３２              コア部
３４              溝部
４２ａ            断面部
４２ｂ            突出部
６０              ホルダ
１３５            ブリッジ
Ａ                間仕切りパネル
Ｂ                床
Ｂ１              穴
Ｌ                溝幅
【図１】
2020090845.tif 000003
【図２】
2020090845.tif 000004
【図３】
2020090845.tif 000005
【図４】
2020090845.tif 000006
【図５】
2020090845.tif 000007
【図６】
2020090845.tif 000008
【図７】
2020090845.tif 000009
【図８】
2020090845.tif 000010